(57)【要約】      （修正有）【課題】プラグ受け装置の内面側からボデーの内方に突き出す量を短縮することにより、内部構造や外観形状に影響を与えないようにしかつ、組み立て時の取扱いかいを容易にすること。【解決手段】本体の上側に接続端子１９を接合する端子１７に固着された電極ピン１４を一対有する端子台１６と、前記端子に内部の電気部品に接続するリード線１８の先端に設けた前記接続端子を備え、前記端子と接続端子とを各々接合した後、本体の下方より配置し固定することで本体の内部構造及び、外観形状に対する影響を無くしかつ、本体へのプラグ受け装置の組み立て、分解することを容易にすることができる。【選択図】図１２
2007097864.tif 000002
【特許請求の範囲】
【請求項１】
本体の上側に向きに接続端子を接合する端子に固着された電極ピンを一対有する端子台と、前記端子に内部の電気部品に接続するリード線の先端に設けた前記接続端子を備え、前記端子と接続端子とを各々接合した後、本体の下方より配置し固定される電気機器のプラグ受け装置。
【請求項２】
本体に設けた端子台の取り付け穴の内側両側部からそれぞれ内方へ突き出した弾力性のある一対の係止部及び、前記端子台のカバー部の外形と略相似形の段部と、前記本体係止部に係止される爪を有する端子台と、前記端子台を下方より固定する固定部材を収容する端子台固定部材収納部を有する請求項１に記載の電気機器のプラグ受け装置。
【請求項３】
端子台に設置された端子と、内部の電気部品に接続するリード線の先端に設けた接続端子と、前記端子と接続端子を接合した後に、前記端子と接続端子を絶縁シートで覆う構成の請求項１に記載の電気機器のプラグ受け装置。
【請求項４】
絶縁シートは、端子台により取り付け位置が固定されるように構成された請求項３記載の電気機器のプラグ受け装置。
【請求項５】
端子と接続端子の接続する円筒部と端子の電極ピンの固定部までを覆う平面部を設けた絶縁シートと、端子台に設置された前記絶縁シート円筒部と平面部の連接側に当接する当接部と前記絶縁シート平面部に設けた穴部を通過し一度通過した後に抜け止めを有する係合突起部により、前記端子と接続端子を貫通させて後に、貫通方向への位置決めをするように構成した請求項３または４記載の電気機器のプラグ受け装置。
【請求項６】
略Ｔ字形状に打ち抜いた絶縁シートの一端を筒状に加工してなる請求項５記載の電気機器のプラグ受け装置。
【請求項７】
端子台に設置された端子と接続端子を覆った絶縁シートは、端子台を本体に取り付けた後、端子台と本体の端子台固定部材収納部により挟持される構成とした請求項２から６のいずれか１項に記載の電気機器のプラグ受け装置。
【発明の詳細な説明】
【技術分野】
【０００１】
本発明は、炊飯器、電気湯沸かし器、焼き物調理器等の電気機器におけるプラグ受け装置に関するものである。
【背景技術】
【０００２】
従来、この種の電気機器のプラグ受け装置は、発熱体の通電制御等を行う制御回路部に載置することで、本体内でのプラグ受け装置への配線の簡素化を図っていた（例えば、特許文献１参照）。
【０００３】
また、本体内でのプラグ受け装置から本体内側に突き出す量を短縮するため、リード線の先端に接続端子を設けたものを電極ピンに直交する向きに固着する構成をとっていた（例えば、特許文献２参照）。
【特許文献１】特開平５−１５４５０号公報
【特許文献２】特開２００５−１３０９３３号公報
【発明の開示】
【発明が解決しようとする課題】
【０００４】
しかしながら、上記の接続構造によるとプラグ受け装置に配線されるリード線は、プラグ受け装置に固着されているため、プラグ受け装置を組み立て、分解するときに取扱い難いという問題があった。
【０００５】
また近年、断熱性能の良い電気湯沸かし器を構成する場合において、内容器を覆う断熱材を本体の底面近くまで下方まで延ばした構造がとられるため、本体からプラグ受け装置を外方に突起させずに外観形状を損なわないようにし、また本体のボデーの径を拡大しないようにするためには、断熱材と本体胴部（側面）間の空間にプラグ受け装置及び電気接続構成を薄型化し収納しなければならないという課題を有していた。
【０００６】
本発明は、前記従来の課題を解決するもので、プラグ受け装置の取扱いを向上させるとともに、本体の内方へ突き出す量を低減させ、本体の内部構造及び、外観形状に対する影響を無くすプラグ受け装置を提供することを目的とする。
【課題を解決するための手段】
【０００７】
上記従来の課題を解決するために、本発明のプラグ受け装置は、本体の上側に向きする端子に直交する向きに配置して固着された電極ピンを一対有する端子台を内部の電気部品に接続するリード線の先端に設けた接続端子と各々接合した後、本体の下方より配置し固定するようにしたものである。
【０００８】
これによって、内部の電気部品に接続するリード線は、プラグ受け装置との着脱が可能となり、プラグ受け装置を組み立て、分解するときの取扱いが容易となる。また、本体の上側に向きする端子に直交する向きに配置して固着された電極ピンを一対有する端子台を下方より配置することで、本体の内部構造及び、外観形状に対する影響を無くしたものである。
【発明の効果】
【０００９】
本発明のプラグ受け装置は、本体の内部構造及び、外観形状に対する影響を無くしかつ、リード線の先端に設けた接続端子を端子台に設けた端子に着脱が自在であるため、本体へのプラグ受け装置の組み立て、分解することを容易にすることができる。
【発明を実施するための最良の形態】
【００１０】
第１の発明は、本体の上側に向きに接続端子を接合する端子に固着された電極ピンを一対有する端子台と、前記端子に内部の電気部品に接続するリード線の先端に設けた前記接続端子を備え、前記端子と接続端子とを各々接合した後、本体の下方より配置し固定することで本体の内部構造及び、外観形状に対する影響を無くしかつ、本体へのプラグ受け装置の組み立て、分解することを容易にすることができる。
【００１１】
第２の発明は、本体に設けた端子台の取り付け穴の内側両側部からそれぞれ内方へ突き出した弾力性のある一対の係止部及び、前記端子台のカバー部の外形と略相似形の段部と、前記本体係止部に係止される爪を有する端子台と、前記端子台を下方より固定する固定部材を収容する端子台固定部材収納部を有することで、プラグ受け装置と本体との一体化を一層確実にすることができる。
【００１２】
第３の発明は、端子台に設置された端子と、内部の電気部品に接続するリード線の先端に設けた接続端子と、前記端子と接続端子を接合した後に、前記前記端子と接続端子を絶縁シートで覆う構成とすることで内部構造物との絶縁を確実にすることができる。
【００１３】
第４の発明は、絶縁シートは、端子台により取り付け位置が固定されるように構成することで、組み立て時に絶縁シートが端子台より外れることなく本体に取り付けをすることができる。
【００１４】
第５の発明は、端子と接続端子の接続する円筒部と端子の電極ピンの固定部までを覆う平面部を設けた絶縁シートと、端子台に設置された前記絶縁シート円筒部と平面部の連接側に当接する当接部と前記絶縁シート平面部に設けた穴部を通過し一度通過した後に抜け止めを有する係合突起部により、前記端子と接続端子を貫通させて後に、貫通方向への位置決めをするように構成することで、端子台に絶縁シートを容易に固定することができる。
【００１５】
第６の発明は、略Ｔ字形状に打ち抜いた絶縁シートの一端を筒状に加工することにより、組み立て容易で安価な絶縁シートを提供することができる。
【００１６】
第７の発明は、端子台に設置された端子と接続端子を覆った絶縁シートは、端子台を本体に取り付けた後、端子台と本体の端子台固定部材収納部により挟持することで、本体に取り付けた後絶縁シートを確実に保持することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１におけるプラグ受け装置を備えた電気湯沸かし器の一例である。この電気湯沸かし器は、本体１の内部に加熱手段（図示せず）を有する有底筒状の被収容物（水）を収容する内容器２（図２参照）を収納するとともに、蓋３を開閉自在に取り付けている。本体１は、ボデー４とその上端部に設けられた上枠５とからなる。ボデー４の後面下端近傍にプラグ受け装置６が取り付けられる。また、上枠５の前端部にノーズ部７が設けられ、そのノーズ部７に操作部８が設けられる。ノーズ部７の下側は前記ボデー４に吐出口用開口９が設けられ、そのノーズ部７と反対側において前記の蓋３がヒンジ１０（図３参照）を介して取り付けられる。半環状に形成されたハンドル１１の両端は、ボデー４の両側面に回転自在に取り付けられる。電源コード１３側のプラグ１２には、後述のプラグ受け装置６の一対の雄型電極ピン１４と磁性体片１５と対応した一対の雌型電極ピン（図示せず）と磁石片（図示せず）が設けられている。前記雄型電極ピン１４（図４参照）には、端子台１６（図４参照）を介してカシメ加工により端子１７（図４参照）が固着されており、前記端子１７には、内部の加熱手段、制御回路基板等に電源を供給するためのリード線１８（図２参照）の先端に設けたファストン端子等の接続端子１９（図２参照）にて接続さている。プラグ１２をプラグ受け装置６に取り付け電源プラグ１６を商用電源差し込むことで、内部の加熱手段、制御回路基板等に電源が供給される。
【００１９】
図２は前記の電気湯沸かし器を上下逆転した状態の前方からみた分解斜視図であり、前記のボデー４、上枠５、内容器２のほか、内容器２の外周部に位置する筒状の断熱材２０、ボデー４の底面の開口を閉塞する底板２１、内容器２の底面に装着されたポンプ２２、水位管２３、吐出口２４、サーミスターなどの感温素子からなるセンサーユニット２５の電気信号により内容器２内の被収容物の温度を制御する制御回路基板を収納した制御基板ボックス２６等が示されている。
【００２０】
前記断熱材２０は、特に、その構成が限定されるものでないが、本実施の形態においては、断熱材２０を真空断熱材としているものである。これは、ガスバリア性を有した樹脂フィルム、樹脂・金属箔ラミネートフィルム（例えば、ナイロン・ＰＥＴ・アルミ箔・無延伸ポリプロピレン）などで構成された外袋内に収納された、ヒュームドシリカやパーライトなどの無機粉末、あるいはグラスウールなどの無機繊維、硬質ウレタンフォーム、発泡フェノール樹脂などの芯材を充填し内部を減圧して封止した製造するものである。通常真空断熱材２０は平板状なるものなので、内容器２への装着を可能とするため３本ローラーなどを用いて筒状に加工している。
【００２１】
また、前記ポンプ２２と水管２３を接続するための切欠き２７には対流防止部材２８が配設されている。ここでは、対流防止部材２８として発泡メラミンなどを用いているが、１００℃以上の耐熱性のある断熱材であれば何を用いてもよい。
【００２２】
ボデー４は、内容器２の底部に設けた脚金具２９ａ、２９ｂに止めネジ３０よりと取り付けられる。底板２１はボデー４の底面部にビス３１により固定される。
【００２３】
図３は前記の電気湯沸かし器を上下逆転した状態の後部からみた分解斜視図である。前説明のプラグ受け装置６は先端に接続端子１９を設けたリード線１８を絶縁シート３２に貫通させた後、後術のプラグ受け装置６に設けた端子１７に接合される。プラグ受け装置６は接続端子１９と端子１７に接合後、本体１のボデー４に取り付けられ、固定ネジ３３によりボデー４に固定される。
【００２４】
前記のプラグ受け装置６は、図４（ａ）から（ｆ）に示したように、フェノール樹脂等の耐熱性合成樹脂により形成された端子台１６と、左右一対の電極ピン３４、及び磁性体片１５とからなる。端子台１６は前面に四角枠形のガイド壁３５を有する嵌合部３６が形成され、その嵌合部３６に前記一対の電極ピン３４外端部が突き出ている。端子台１６の裏面において各電極ピン３４の内端側が若干突き出し、本体１の上側に向きに接続端子１９を接合する端子１７を前記電極ピン３４に端子貫通穴１７ａを貫通させ、カシメ部３７を設けることで、端子１７は電極ピン３４と固着させる。端子１７と電極ピン３４は、カシメ加工が可能な範囲交わる角度を設定することが可能であるが、本実施の形態では、直角に交わるように設定している。
【００２５】
かしめ部３７の周囲には、このカシメ部が突起しないよう保護リブ４１が設けられている。端子１７は端子台１６の本体１の取り付け側にクランク曲げが施されている。３８は、固定ネジ３３が締め付けられるセルフタップ用の孔部である。孔部３８の近傍には、幅Ｙでの一部先端側を幅Ｘにくびれさせた突起部３９を配置する。前記突起部３９寸法は、孔部３８の孔径ｄに対してｄ＜Ｘ＜Ｙとなるように設定している。固定ネジ３３が設けられる勘合面４０は平面になるようになっている。４２は絶縁シート３２の上下方向の位置決めを行う当接面でこの当接面４２には、詳細を後で説明する絶縁シート３２のガイドリブ４３を設置している。４５はボデー４に取り付けたときにカバー部であり、４４は端子台の両側面に設けた係合爪である。
【００２６】
図５は、ボデー４の後面下端近傍のプラグ受け装置６が取り付け前の外側から見た詳細斜視図、図６（ａ）はプラグ受け装置６を取り外した状態を内側から見た詳細斜視図、図６（ｂ）はプラグ受け装置の取り付け状態を内側から見た詳細斜視図を示している。尚、図５、図６はプラグ受け装置６のボデー４への取り付け構成を説明するため、ボデー４とプラグ受け装置６以外の部材の記載は省略している。
【００２７】
ボデー４に設けた端子台１６のカバー部４５の外形と略相似形の段部４６面上に設けた取り付け穴４７は、プラグ受け装置６との上端側あわせ部４８と向かい合わないよう段差を有した下側あわせ面４９を形成している。下側あわせ面４９側には、前記固定ネジ３３を貫通して、プラグ受け装置６を固定する孔部５０を有するネジ収納部５１と、組み立て完了後、絶縁シート３２の有無を確認するための確認窓部５２を有している。
【００２８】
プラグ受け装置６は、端子台１６のカバー部４５が前記ボデー４に設けた段部４６に係合させたときに、取り付け穴４７の左右両側縁に内側に向けて設けた弾性係止片５３が、端子台１６に設けた係合爪４４が掛かかり取り付くように設定されている。
【００２９】
図７は、絶縁シート３２の詳細図で、図８は絶縁シートの形状を安定化させるための補助加工の詳細を示した図、図９は、本発明の実施の形態１における絶縁シートの斜視図である。絶縁シート３２の展開形状は、図７（ａ）に示すようにシートを略Ｔ字形状に打ち抜いた形状としている。絶縁シート３２の平面部５９に設けられた凸部５５を有するセット穴５４は、前記端子台１６の突起部３９との幅方向の寸法をｓ＜Ｘ＜ｔ＜Ｙとなるように設定している。また、セット穴５４は組み立て時にプラグ受け装置６を固定するための固定ネジ３３を貫通するように大きさになっておりさらに、セット穴５４の近傍は前記ボデー４に設けた確認窓部５２より確認できる大きさとなっている。
【００３０】
絶縁シート３２の円筒部の一端に設けたフック部５６と他端に設けた合わせ穴５７は、フック部５６と合わせ穴５７の勘合部の寸法がｖ＞ｗ＞ｕとなっているため、フック部５６を合わせ穴５７に挿入するとくびれ部５６ａで保持される。つまり図７（ｂ）に示すような合わせ部６２で固定することで円筒部６０を形成することができる。組み立て後の山折部６３を折り込むと折りグセがつくぐらいの厚みが、前記絶縁シート３２には望ましい。
【００３１】
図８は、絶縁シート３２の形状を安定化させるための絶縁テープ５８ａ、５８ｂを貼りつけた状態を示している。絶縁シート３２の平面部５９にセット穴５４を外した適度な大きさの絶縁テープ５８ａを張り合わせた後に、円筒部６０には重ね合わせ部６１を形成するように絶縁テープ５８ｂを貼り付けている。図８（ｂ）に示すように合わせ部６２は絶縁テープ５８ｂで固着されているため、容易に円筒部６０が分解してしまうことはない。
【００３２】
上記説明のように組み立て構成された絶縁シート３２は、図９に示すように円筒部６０の両端の山折部６３を結ぶ円弧部６４状となり開口部６５を形成することになる。
【００３３】
次に、絶縁シート３２のプラグ受け装置６への取り付け、前記プラグ受け装置６のボデー４への取り付け、リード線１８の処理の詳細について以下説明する。まず、図１０に示すように、本体１の取り付け穴４７から引き出されたリード線１８を絶縁シート３２の開口部６５より貫通させる。次にプラグ受け装置６に設置されている端子１７に、リード線１８の先端に設けた接続端子１９を挿入することで接続する。次に絶縁シート３２を端子台１６の当接面４２（図４参照）に円筒部６０の平面部５９側端面に当接する位置までずらす。このとき円筒部１０はガイドリブ４３（図４参照）によりガイドされ、平面部５９に設けたセット穴５４を突起部３９の付近に導く。次に前記セット穴５４を弾性範囲で変形させて突起部３９にセットする。このとき、セット穴５４の凸部５５の下端が端子台１６の勘合面４０に接触するように取り付けると円筒部６０との平面部５９の連接側の端面が、端子台１６の当接面４２に接触し位置決めされるようになっている。また当接部はｓ＜Ｘの寸法になっているため開口部６５方向にずれることはなく、突起部３９とセット穴５４はｔ＜Ｙの関係になっているため一度セットすると不用意に外れることはない。
【００３４】
図１１に、絶縁シート３２を取り付けたプラグ受け装置６の斜視図を示す。絶縁シート３２が端子台１６に取り付けられると、プラグ受け装置６の本体１内部側の充電部、つまり、端子１７、接続端子１９等は絶縁シート３２により覆うことになる。
【００３５】
前記絶縁シート３２の図１１での形状は、プラグ受け装置６をボデー４への取り付けた時の状態を示したもので、下側あわせ面４９により、絶縁シート３２の平面部５９は押圧され、勘合面４０の端部で折り込まれ、前記勘合面４０に沿った形状に変形する。このときセット穴５４は、端子台１６に配置されている孔部３８を覆わないようになっている。
【００３６】
また絶縁テープ５８ａを絶縁シート３２の折曲がる位置に貼り付けていないため、容易に前記絶縁シート３２は、勘合面４０に沿った形状に変形させることができる。
【００３７】
図１２は、プラグ受け装置６の使用状態の縦断面図である。尚、図１２（ａ）については、絶縁シート３２を省略して表している。第一に、絶縁シート３２を取り付けたプラグ受け装置６は、ボデー４の取り付け穴４７から引き出されたリード線１８側より、ボデー４と断熱材２０の空間６６に収納できるように前記取り付け穴４７の下方より挿入される。
【００３８】
このとき絶縁シート３２は、接続端子１９等の金属部品のエッジを覆っているため、本実施の形態で使用している断熱材２０（真空断熱材）の外袋を傷つけ、外袋内部の真空状態を損なわないといった効果も得られる。
【００３９】
次に、プラグ受け装置６を形成する端子台１６のカバー部４５を前記ボデー４に設けた段部４６に係合させると、前記取り付け穴４７の左右両側縁に内側に向けて設けた弾性係止片５３が、端子台１６に設けた係合爪４４が掛かかりプラグ受け装置６はボデー４に取り付けられる。さらに、固定ネジ３３はボデー４のネジ収納部５１に設けた孔部５０、絶縁シート３２のセット穴５４を貫通させて、端子台１６の孔部３８に締め付けることで、プラグ受け装置６を固定する。このとき、絶縁シート３２は、ネジ収納部５１の孔部５０のボデー４内部側面と端子台１６の勘合面４０により挟持されることになり、本体１に取り付け後は、確実に保持を維持することができる。また、プラグ受け装置６は固定ネジ３３のみならずボデー４の弾性係止片５３と端子台１６の係合爪４４の係合により取り付けられているため本体１との一体化を一層確実にすることができる。
【００４０】
プラグ受け装置６を本体１に組み立て後、ボデー４の確認窓部５２より、端子台１６の勘合面４０の端部で折り込まれた絶縁シート３２を確認ができる。つまり絶縁シート３２の有無をプラグ受け装置６を取り外さなくて無くても確認することができる。
【００４１】
リード線１８は絶縁シート３２の開口部６５の端面で下向きに導かれ、本体１内部の加熱手段、制御回路基板等に接続されることになる。このとき、絶縁シート３２は絶縁テープ５８ｂにより剛性が高くなっているため、座曲することなく、安定して形状で組み立てられる。
【００４２】
上記のように、プラグ受け装置６を端子台１６に設けた端子１７と、リード線１８先端に設けた接続端子１９を接合する構成にすることで、本体１へのプラグ受け装置６の組み立て、分解することを容易にすることができる。またプラグ受け装置６をボデー４の取り付け穴４７に組み立てた状態で、雄型電極ピン１４、端子１７、接続端子１９、絶縁シート３２はすべて端子台１６の幅Ｌ内に収まるため、プラグ受け装置６が、本体１の内部構造及び、外観形状に対する影響をなくすことができる。
【産業上の利用可能性】
【００４３】
以上のように、本発明にかかるプラグ受け装置は、本体の内部構造及び、外観形状に対する影響を無くしかつ、リード線の先端に設けた接続端子を端子台に設けた端子に着脱が自在であるため、本体へのプラグ受け装置の組み立て、分解することを容易となるので、炊飯器、電気湯沸かし器、焼き物調理器等の電気機器など、家庭用小物機器に適用できる。
【図面の簡単な説明】
【００４４】
【図１】実施の形態１のプラグ受け装置を用いた電気ポットの斜視図
【図２】同上の電気湯沸かし器を上下逆転した状態の前方からみた分解斜視図
【図３】同上の電気湯沸かし器を上下逆転した状態の後方からみた分解斜視図
【図４】（ａ）同上のプラグ受け装置の正面図（ｂ）（ａ）図のＡ−Ａ線の断面図（ｃ）同上のプラグ受けの下面図（ｄ）同上のプラグ受けの側面図（ｅ）同上のプラグ受けの上面図（ｆ）同上のプラグ受けの斜視図
【図５】実施の形態１のプラグ受け装置を取り付け部分の外側から見た詳細斜視図
【図６】（ａ）同上のプラグ受け装置の取り外した状態を内側から見た詳細斜視図（ｂ）同上のプラグ受け装置の取り付け状態を内側から見た詳細斜視図
【図７】（ａ）実施の形態１のプラグ受け装置に取り付ける絶縁シートの展開図（ｂ）同上の絶縁シートの組み立て図
【図８】（ａ）同上の絶縁シートに絶縁テープを貼り付けた図（ｂ）（ａ）の裏面図
【図９】同上の絶縁シートの斜視図
【図１０】実施の形態１のプラグ受け装置の組み立て状態の斜視図
【図１１】実施の形態１のプラグ受け装置に絶縁シートを取り付けた状態の斜視図
【図１２】（ａ）実施の形態１のプラグ受け装置の使用状態の縦断面図（ｂ）（ａ）図のＡ−Ａ線の断面図（ｃ）（ａ）図のＢ−Ｂ線の断面図
【符号の説明】
【００４５】
１  本体
６  プラグ受け装置
１４  雄型電極ピン
１６  端子台
１７  端子
１８  リード線
１９  接続端子
３２  絶縁シート
３３  固定ネジ
３７  カシメ部
３９  突起部
４０  勘合面
４４  係合爪
４５  カバー部
４６  段部
４７  取り付け穴
５１  ネジ収納部
５３  弾性係止片
５４  セット穴
５５  凸部
５９  平面部
６０  円筒部
【図１】
2007097864.tif 000003
【図２】
2007097864.tif 000004
【図３】
2007097864.tif 000005
【図４】
2007097864.tif 000006
【図５】
2007097864.tif 000007
【図６】
2007097864.tif 000008
【図７】
2007097864.tif 000009
【図８】
2007097864.tif 000010
【図９】
2007097864.tif 000011
【図１０】
2007097864.tif 000012
【図１１】
2007097864.tif 000013
【図１２】
2007097864.tif 000014